(57)【要約】【課題】電流、光、電磁波、気体、液体等の物理的、化学的特性を静電磁場の作用により変えようとする時、静電誘導による効果の減少を防ぐ必要がある。【解決手段】電場と磁場が重畳し、その方向が平行、または反平行の静電磁場を構成するばあい、静電場を構成する２つの面状電極の一つを接地電極とすることにより、２電極間の電場は正、又は負の電場となる。導電性の磁石、例えばネオジウム系の磁石を使用する場合も、磁石を面状電極の外側に配置することで、静電誘導の問題を解決できるため強力な静電磁場を構成できる。【選択図】図１
2005205388.tif 000002
【特許請求の範囲】
【請求項１】
２つの面状電極間の静電場と面状磁極をもつ磁石のＮＳ２極間の静磁場が平行、または反平行に重畳する静電磁場において、該静電場を正、または負の面状電極に対面配置された接地された面状電極間の静電場とし、かつ該磁石の面状磁極を該面状電極の外側に配置した構成の静電磁場とすること、該構成による単位静電磁場。
【請求項２】
対面配置された２つの導電性面状磁石の一つを正、または負に帯電させ、残りの磁石を接地し、電場と磁場が平行、または反平行に重畳することを特徴とする単位静電磁場。
【請求項３】
請求項１、又は２の単位静電磁場複数個を、隣り合う単位静電磁場の電場と磁場の極性が交互に反転するよう直列配置し、該複数個の単位静電磁場が交番静電磁場を構成することを特徴とする交番静電磁場。
【請求項４】
電磁波、赤外線、光、紫外線、Ｘ線を放射する装置に電力を供給する場合、請求項１、もしくは請求項２の単位静電磁場、もしくは請求項３の交番静電磁場を使用していずれかの静電磁場の作用を受けた電流にして供給する方法。
【請求項５】
一定方向に進行している気体状、液体状の流体、プラズマ状の物質、電磁波、赤外線、光、紫外線、Ｘ線を作用対象として静電磁場を作用させる場合、該作用対象の進行路の途中に請求項１の単位静電磁場、もしくは請求項２の単位静電磁場、もしくは請求項３の交番静電磁場を設置し、該作用対象がいずれかの静電磁場の作用を受けて通過することを特徴とする方法、および装置。
【請求項６】
静止状態にある気体状、液体状、プラズマ状の物質に静電磁場を作用させるとき、作用させる静電磁場を請求項１の単位静電磁場、もしくは請求項２の単位静電磁場、もしくは請求項３の交番静電磁場のいずれかとし、作用する該静電磁場の断面に垂直に振動する縦波振動を該物質にあたえることを特徴とする縦波振動静電磁場装置。
【発明の詳細な説明】
【技術分野】
【０００１】  本発明は電気機器が放射する電磁波、赤外線、光、紫外線、Ｘ線の物理的、化学的特性、作用を電気機器に電力を供給する電流に静電磁場を作用させる間接的方法により、あるいはそれ自体に直接作用させる方法により変化させることを主たる目的とするが、空気、水を含む各種流体、プラズマ状物質にも適用できるもので多方面の用途がある。
【背景技術】
【０００２】  本発明は本発明者が特許申請中の反転電磁場による電磁波の状態制御法に関連するものである。静電場には正の電荷がつくる正の電場と負の電荷がつくる負の電場、それから正の電荷と負の電荷にはさまれた電場がある。正の電場、負の電場を考える時、常に無限遠の彼方に逆の電荷の存在を想定している。その意味では正負の電極間の電場と同一と考えられるが、事実上単極電場である。正、または負の電極の近くに導体があると静電誘導により導体表面に逆の電荷が現れる。【０００３】  完全に浮いた状態の正、および負に帯電した２つの平面電極間の電場は、ゼロ電位である中心面の両側に正の電場と負の電場が存在する。この２つの電場の荷電粒子にたいする作用は反対である。言いかえれば対称性電場である。この電場の対称性が静電磁場の作用を弱めるのである。なお、正負電極間の静電場の場合、電極を完全に浮いた状態にすることは難しくどこかで接地していると考えたほうがよい。そのためにゼロ電位の場所がずれるが、その両側に正と負の電場があることには変わりはない。【０００４】  電磁波、赤外線、光、紫外線、Ｘ線、プラズマ、電流、その他、空気、水を含む各種流体（以下作用対象）の物理的、化学的特性を静電磁場の作用により変えようとする場合、電場の対称性が静電磁場の作用を弱める。この問題を解決するために本発明者は正、又は負の電極のみの電場をＮ極、又はＳ極の磁場と組み合せた非対称性静電磁場、すなわち単極静電磁場を発明した。この方法はフェライト系の磁石を使用するときは有効である。強力な金属磁石と組み合わせて単極静電磁場をつくろうとした場合、静電誘導効果により等価的に正負２極間の電場となり効果が減少する。
【特許文献】特開２００３−６２４５０号公報
【発明の開示】
【発明が解決しようとする課題】
【０００５】  解決しようとする問題点は先に述べたごとく、電場の対称性を解消すること、金属磁石、電磁石を使用できるようにするにある。
【課題を解決しようとする手段】
【０００６】  本発明は作用対象の物理的、化学的特性を変える静電磁場の静電場を正、又は負の電極とこれに対面配置する接地した電極の２電極間の静電場とすることを特徴とする。これにより、静電磁場における静電誘導問題を解決できる。静電場を正、又は負の電場のみの単極電場とすることが可能となる。
【発明の効果】
【０００７】  本発明は静電磁場の電場を正、又は負の単極電場にできるため静電磁場作用効果を高める。電場と磁場の方向が平行、反平行静電磁場を構築する際に、金属磁石の使用が可能となるため静電磁場の作用効果を高めることができる。
【発明を実施するための最良の形態】
【０００８】  電場と磁場の方向が平行、反平行に重畳する静電磁場の静電場を２つの面状電極で構成するとき、面状電極の一つを正、または負に帯電させ、残りの面状電極を接地する。２つの面状電極間の静電場は正、または負の単極電場となる。
【実施例１】
【０００９】  電場と磁場が重畳し、その方向が平行に重畳する平行静電磁場を図１に示す。反平行に重畳する反平行静電磁場の例を図２に示す。正、又は負の面状電極の反対側に面状接地電極が対面配置してある。この外側に面状磁石２個を配置している。２つの面状磁石のＮ極とＳ極が向かい合って磁場をつくる。磁極面が向かい合う永久磁石、あるいは電磁石であれば磁石２個を使う必要はない。【００１０】  正、または負の面状電極と磁極が面状の磁石のＳ極、またはＮ極を向かい合わせて単極静電磁場を生成したした場合、電極に向かいあっている磁石の表面には静電誘導により向かい合っている電極とは反対の電荷が誘起される。実験によれば、フェライト系の磁石を磁場の生成に使用した場合は、静電磁場作用効果の減少はみられなかった。しかし、金属磁石を使用した場合、静電磁場作用効果はかなり減少した。この問題は金属磁石の表面に絶縁紙をはさんで接地した面状電極を貼り付けて解決している。
【実施例２】
【００１１】  磁極が面状の金属磁石２個を電場と磁場が平行、逆平行の静電磁場の磁場に使用する場合、金属磁石を電極に兼用できる。磁石の一つに正、または負の電荷を与え、対面配置する磁石を接地することにより面状電極なしで磁場と電場が平行、反平行の静電磁場を構成できる。図３はその例示である。【００１２】  電場、磁場の強度には当然、限界がある。この限界を破る方法として発明したのが複数個の静電磁場を使用する方法である。複数個の静電磁場を一定間隔に配置する。この時、隣り合う静電磁場の極性を反転する配置とするのが特徴である。この交番配置の効果を確かめた。１００ｍＴの磁石の磁場、５００Ｖ／ｃｍの電場からなる平行静電磁場２個を交番配置した静電磁場の作用は２００ｍＴの磁石の磁場、１０００Ｖ／ｃｍの静電磁場１個の作用より効果がある。交番静電磁場効果は繰り返し回数に比例する結果をえている。なお、この交番配置法は参考特許文献で本発明者が特許を申請中である。ただ，適用する静電磁場の範囲に２電極の一つを接地電極とする平行、反平行静電磁場は含まれていない。
【実施例３】
【００１３】  作用対象が静電磁場の作用をうけると、即ち静電磁場の断面を直角に作用対象が通過すると作用対象の物理的、化学的特性が変わる。実験結果からの結論である。平行静電磁場、と反平行静電磁場の作用をうけた白熱電灯の光を２つのフラスコ中の水に３時間照射した。次に、鉄たわしを水のなかにいれて水酸化鉄の発生速度の違い、色の違いを観察した。平行静電磁場の作用をうけた白熱電灯の光を照射された水の色は薄く、沈殿する水酸化鉄の量も相対的にみて少ない。反平行静電磁場の作用を受けた光を照射された水の色は相対的にみて濃く、水酸化鉄の量も多い。蛍光灯の光、紫外線灯の光でも同様の結果をえた。磁石の強さは１００−２００ｍＴである。電場は１０００Ｖ／ｃｍである。静電磁場の作用をうけない光を照射された水の色と水酸化鉄の量は中間になる。【００１４】  電子レンジはマイクロ波を利用している。白熱電灯の光と同じように平行、反平行静電磁場を通過したマイクロ波を５分間水に照射し、静電磁場の違いによる水の酸化還元反応の違いを確認した。水の酸化還元電位を測定したところ、平行静電磁場は２００ｍＶ，反平行静電磁場は３５０ｍＶと差があった。平行静電磁場は還元的に作用し、反平行静電磁場は酸化的に作用する。
【実施例４】
【００１５】  電気機器が放射する電磁波、赤外線、光、紫外線、Ｘ線の作用は電流に作用する静電磁場により変わる。平行静電磁場であれば還元的に作用する。反平行静電磁場であれば酸化的に作用する。実験結果からそのように結論できる。行った実験は前述の磁場と電場を使用している。また、使用した機器類は電気ヒーター、白熱電灯、蛍光灯、紫外線灯、電子レンジである。これらを使用して水を加熱する時、電流が流れるビニールコードを静電磁場のなかに置き、静電磁場の作用が電流に与える影響を確認した。電気機器が放射する電磁波の種類に無関係に、反平行静電磁場の作用をうけた電流により加熱された水は酸化的であり、平行静電磁場の時、水は相対的にみて還元的である。水に鉄たわしを入れた時、水酸化鉄の生成速度と色に違いが出る。前者は色が濃く、後者は色が薄い。なお、静電磁場の電流に対する作用は直流、交流に無関係である。なお、Ｘ線については論理的に考えて同じように静電磁場の作用をうけて物理的、化学的特性が変わるのは間違いない。平行、反平行静電磁場の作用をうけた電流を６００Ｗ電気ヒーターに供給して２００ｃｃのフラスコ中の水を９分間加熱した。次に、フラスコに鉄たわしを入れて水酸化鉄の生成速度の違いと色を観察した。結果は白熱電灯の場合と同様である。使用した電場は±２０００Ｖ／ｃｍ、磁石は１００ｍＴ、２つの単位静電磁場を交番配置した静電磁場である。白熱電灯、蛍光灯、紫外線灯、電子レンジを使って同様な実験を行い同様な結果をえた。【００１６】  マイクロ波を発振するマグネトロンのカソード電流は通常、トランスを経由している。トランスを経由しても静電磁場の電流にたいする作用の影響は消えないことを意味する。ニクロム線ヒーターにより水を加熱する実験において、スライダックを使用した実験においても、直接接続した実験と変わらない同様の結果をえた。電流にたいする静電磁場効果は少なくとも一度トランスを経由しても持続するとしてよい。
【実施例５】
【００１７】  空気、水、その他の気体、液体も静電磁場を通過すると、すなわち作用をうけると物理的、化学的特性は変わる。平行、反平行の静電磁場の２つ静電磁場を使って水に対する空気中の酸素の溶解度がどのように変わるかを比較実験した。３００ｃｃのビーカーに水道水をサンプルし、小型の水槽用電磁ポンプで空気を５分間水に吹き込み、静電磁場の作用を確認する。平行静電磁場を通過した空気を吹き込んだ水の溶存酸素量は１４ｐｐｍ、反平行静電磁場は８ｐｐｍとなった。また，静電磁場を通過しない空気を吹き込まれた水は８ｐｐｍであった。水温は２０℃であった。平行静電磁場は酸素の溶解度をたかめる。反平行静電磁場は酸素溶解度に殆ど影響を与えない。なお、フェライト磁石のＮ極、Ｓ極のどちらかと正の電極、または負の電極が向かい合う単極静電磁場で平行静電磁場を構成して実験した結果は１２ｐｐｍであった。接地電極をりようした静電磁場の方がより効果がある。
【実施例６】
【００１８】  水の化学的特性も静電磁場の作用により変わる。１５１の水槽に水道水を採り、この水を水槽ポンプで循環する。循環時間は２０分、循環回数は１５回である。その循環回路の途中に静電磁場を挿入した。水槽は開放型である。平行静電磁場の場合、溶存酸素量は１２ｐｐｍ、反平行静電磁場は８ｐｐｍ、静電磁場なしの場合は８ｐｐｍとなった。この水に鉄たわしをいれ、水酸化鉄生成、水の色の違いを確認した。反平行静電磁場の作用を受けた水は旱く赤茶ける。静電磁場なしの水の色もほぼ同じである。時間的にはやや遅いように観察した。平行静電磁場はうす黒い色になる。平行静電磁場の作用をうけた水は還元的状態にあるため、３価の鉄イオンにまで鉄が酸化されにくいことをしめしている。【００１９】  これまでの実験であきらかになったのは、静電磁場の作用は物質を構成する分子、原子が拘束された状態にある固体には影響を与えないことである。水は敏感に静電場に反応する。水道水をフラスコにサンプルし平行静電磁場、反平行静電磁場内に保管する。１時間経過後、水の化学特性を比較した。結果は流水状態におけると同様である。マクロ的に静止状態であっても水分子は激しく運動してしいる故、静電磁場の作用を受ける。氷に平行、反平行静電磁場を５時間作用させた後、融解して水の酸化還元電位の変化を調べたが変化はなかった。分子、原子、電子が拘束状態にある固体状態では静電磁場の作用効果は殆どない。電子も電流として移動しているときは自由度がある状態と考えてよく、静電磁場の作用の影響をうけるのである。
【実施例７】
【００２０】  マクロ的に静止状態にある流体と運動状態の流体とでは静電磁場の作用効果は変わる。流れている状態の場合のほうが時間的に早い。静止状態の水に平行、反平行静電磁場を作用させた場合、水の化学的特性の変化が確認できるには３０分以上必要であった。前述の実験に超音波振動を垂直にパルス状に加えると滞留時間２分で水の化学的特性の変化ははっきり確認できるようになる。電場は５００Ｖ／ｃｍ、磁場用の磁石は１００ｍＴである。超音波の周波数は２０ＫＨｚである。【００２１】  プラズマ状態は分子、原子、原子核、電子が拘束を解かれた自由度を持った状態である。したがって、静電磁場の作用を受けやすい状態ににある。準プラズマ状態の火炎に平行、反平行静電磁場を作用させる。この火炎により暖められた水の化学的特性が電流に平行，反平行静電磁場を作用させた実験と同様に変化することを確認した。したがって、分子、原子、イオン化した原子、電子が自由度の高い状態であるプラズマは静電磁場により容易に変わると考えられる。
【産業上の利用可能性】
【００２２】  熱、電磁波、光、電気を利用する全ての産業において広範囲に適用できる。医学の分野においても適用できる。還元的状態の光、Ｘ線の照射はガン治療におおきな効果をあげると考える。
【図面の簡単な説明】
【００２３】
【図１】電流に単位平行静電磁場を作用させる説明図である。
【図２】電流に単位反平行静電磁場を作用させる説明図である。
【図３】面状金属磁石２個を使用した単位反平行静電磁場の説明図である。
【図４】交番静電磁場を水に作用させる説明図である。
【図５】光に単位平行静電磁場を作用させる説明図である。
【図６】静止水に縦波振動を与えて単位平行静電磁場を作用させる説明図である。
【符号の説明】
【００２４】  １  面状電極
２  接地面状電極
３  面状磁極磁石
４  絶縁フィルム
５  電力ケーブル
６  直流高圧電源
７  直流電源
８  交流電源
９  水輸送パイプ
１０  光ケーブル
１１  光源
１２  超音波発振器
１３  水槽
３１  金属面状磁石
【図１】
2005205388.tif 000003
【図２】
2005205388.tif 000004
【図３】
2005205388.tif 000005
【図４】
2005205388.tif 000006
【図５】
2005205388.tif 000007
【図６】
2005205388.tif 000008